(57)【特許請求の範囲】
【請求項１】
固定素子を基礎構造に打ち込むための打ち込み装置であって、
ハウジング（１１）と、
作動軸線（Ａ）を画定して案内（１２）に移動可能に案内した駆動体（１３）と、
作動軸線（Ａ）の方向に案内（１２）に隣接するとともに、固定素子（５０）を案内するピンガイド（１５）と、
を備え、
前記駆動体（１３）のピンガイド（１５）側に固定素子（５０）を駆動するための駆動端部（１４）を設け、
打ち込み準備ができている初期位置（１９）における駆動体（１３）の駆動端部（１４）と加工材のための当接部分（１６）との間の間隔（Ｄ）を調節するための打ち込み深度調節装置（２０）を設け、
前記ピンガイド（１５）に当接部分（１６）を設け、打ち込み深度調節装置（２０）によってこのピンガイド（１５）を案内（１２）に対して軸線方向に移動可能にしたことを特徴とする打ち込み装置。
【請求項２】
請求項１記載の装置において、前記打ち込み深度調節装置（２０）によってピンガイド（１５）を少なくとも２個の位置（３６，３７）の間で軸線方向に移動可能にし、これら２個の軸線方向位置に前記打ち込み深度調節装置（２０）によって保持できるようにした打ち込み装置。
【請求項３】
請求項１または２に記載の装置において、打ち込み深度調節装置（２０）を釈放切り替え位置（４５）に調節すると、案内（１２）とは反対側では、ピンガイド（１５）が打ち込み深度調節装置（２０）によって軸線方向に保持されない第１位置（３５）に移動するように構成した打ち込み装置。
【請求項４】
請求項１〜３のいずれか一項に記載の装置において、打ち込み深度調節装置（２０）に手動操作可能な操作素子（２４）を設け、ピンガイド（１５）を軸線方向に保持する打ち込み深度調節装置（２０）の少なくとも２個の切り替え位置（４６，４７）では、前記操作素子（２４）はハウジング（１１）の窓（１７）内で使用者が操作可能に位置し、また、打ち込み深度調節装置（２０）の釈放切り替え位置（４５）では、窓（１７）に隣接したハウジング部分（１８）に覆われる構成とした打ち込み装置。
【請求項５】
請求項１〜４のいずれか一項に記載の装置において、打ち込み深度調節装置（２０）に、制御連結リンク（２２）と、この制御連結リンク（２２）に案内可能な摺動ブロック（２５）とを設け、これらが操作素子（２４）とピンガイド（１５）との間で作用する構成とした打ち込み装置。
【請求項６】
請求項１〜５のいずれか一項に記載の装置において、打ち込み深度調節装置（２０）に、操作素子（２４）と一緒に回転するよう連結した制御ローラ（２１）を設けた打ち込み
装置。
【請求項７】
請求項１〜６のいずれか一項に記載の装置において、制御連結リンク（２２）を制御ローラ（２１）に設け、摺動ブロック（２５）をピンガイド（１５）に設けた打ち込み装置。
【請求項８】
請求項１〜６のいずれか一項に記載の装置において、切り替え位置（４５，４６，４７）において打ち込み深度調節装置（２０）を離脱可能に保持する係止機構（３０）を設けた打ち込み装置。
【発明の詳細な説明】
【技術分野】
【０００１】
本発明は、特許請求の範囲における請求項１の前半部分に記載した打ち込み装置（鋲打ち機）に関する。このような打ち込み装置は、固体、気体もしくは液体の燃料、また、空気圧もしくは圧搾空気、または電気エネルギーによって駆動できる。
【背景技術】
【０００２】
駆動体が打ち込みピストンまたはプランジャのように固定素子を基礎構造に打ち込むこの種の打ち込み装置では、駆動体は固定素子の方向に加速される。燃焼駆動式の打ち込み装置では、例えば燃焼ガスによって駆動体を駆動する。この場合、駆動体に作用する圧力により、駆動体は固定素子の方向に加速し、固定素子に衝突することによって基礎構造に打ち込む。
【０００３】
打ち込み装置では、加工材における固定素子の打ち込み深度または、打ち込み動作後の加工材表面からの固定素子のヘッドの突出度は、固定素子を打ち込む加工材の材料並びに、固定素子の長さおよびシャフトの太さに特に依存する。この場合、用途毎に打ち込み深度または、固定素子の突出度を適合させる必要がある。例えば、ガス駆動式の鋲打ち機では初期位置におけるピン先端と基礎構造との間の間隔の大きさが変化するため、このような適合をさせることがしばしば必要となる。間隔の大きさの変化は、例えば押し付け装置の長さ変動により起きる。このため、調節が可能な限り容易であることが望まれる。
【０００４】
特許文献１には打ち込み深度調節のための装置を有する手持ち打ち込み装置が記載されている。この装置は、打ち込み装置の打ち込み方向側の先端部において駆動センサーを設ける。鋸歯状歯車として構成した漸進的な調整素子を介して、この駆動センサーを先端部に対して相対的に軸線方向に調節可能とすることにより、固定素子の種々の打ち込み深度または、突出度を調節できるようにしている。
【特許文献１】米国特許第６０１２６２２号明細書
【０００５】
この既知の打ち込み装置の欠点は、第一に打ち込み深度調節装置を多くの構成部材によって構成すること、第二に先端部または、ピンガイドの組み立てが繁雑であるということである。
【発明の開示】
【発明が解決しようとする課題】
【０００６】
本発明の課題は、上述の欠点を回避し、組立てが簡単で可能な限り容易な方法で打ち込み深度を調節できる手持ち打ち込み装置を得ることにある。
【課題を解決するための手段】
【０００７】
この課題は、本発明特許請求の範囲における請求項１に記載の特徴を持つ打ち込み装置により解決する。本発明打ち込み装置によれば、ピンガイドに、加工材のための当接部分を設け、打ち込み深度調節装置によってこのピンガイドを駆動体の案内に対して軸線方向に移動可能にしたことを特徴とする。
【発明の効果】
【０００８】
これにより、打ち込み深度調節装置に、当接部分を設ける構成部材を特別に備える必要がなくなるため、少ない構成部材によって信頼性高く機能し、調節に工具が不要な打ち込み深度調節装置を得られる。
【発明を実施するための最良の形態】
【０００９】
好適には、打ち込み深度調節装置によってピンガイドを少なくとも２個の位置の間で、駆動体および駆動体の案内に対して軸線方向に移動し、またこれら２個の軸線方向位置に、打ち込み深度調節装置によって保持するものとする。このため、ピンガイドを軸線方向に固定するための特別な構造を付加的に設ける必要がない。
【００１０】
好適には、打ち込み深度調節装置を釈放切り替え位置に調節すると、案内とは反対側では、ピンガイドが打ち込み深度調節装置によって軸線方向に支持されない第１位置にピンガイドが移動するように構成する。これにより、打ち込み深度調節装置を釈放切り替え位置に調節すると、工具を使用することなく、また、その他の操作なしに、打ち込み装置から取り外すことができる。ピンガイドをこのように簡単に交換可能に構成することにより、故障した際に修理しやすくなり、また、代わりのピンガイドを用いることができる。
【００１１】
打ち込み深度調節装置に手動操作可能な操作素子を設け、ピンガイドを軸線方向に保持する打ち込み深度調節装置の少なくとも２個の切り替え位置では、操作素子は、ハウジングの窓内で使用者が操作可能に位置し、また、打ち込み深度調節装置の釈放切り替え位置では、窓に隣接したハウジング部分に覆われている構成とすると有利である。この構成によれば、一方で、打ち込み深度調節装置が容易に操作可能になり、他方で、ピンガイドを取り外した状態での、操作素子の意図しない操作を回避できる。
【００１２】
打ち込み深度調節装置には、制御連結リンクと、この制御連結リンクに案内可能な摺動ブロックとを設け、これらが操作素子とピンガイドとの間で作用する構成にすると、構造上有利である。制御手段として制御連結リンクおよび摺動ブロックを用いる代わりに、例えばトグル継手やラックユニット、歯車ユニット、軸線方向に移動可能なねじ棒を備えたねじスリーブ、重なり合って摺動する２個の連結リンク、偏心調節装置などを使用することもできる。
【００１３】
好適には、打ち込み深度調節装置に、操作素子と一緒に回転するよう連結した制御ローラを設けることにより、連結リンク制御機構を大きなスペースを占有することなく、また、打ち込み装置のサイズを大きくすることなく構成できる。さらに好適には、制御連結リンクを制御ローラに設け、摺動ブロックにピンガイドを設ける構成にする。代案として、摺動ブロックをローラに、また、制御連結リンクをピンガイドに設ける構成にすることもできる。
【００１４】
好適には、係止装置を設けることにより切り替え位置において打ち込み深度調節装置を離脱可能に保持する係止機構を設けることによって、例えば反動打撃衝撃によって打ち込み深度調節装置が意図しないで他の切り替え位置に移動することを防ぐことができる。
【００１５】
本発明のその他の利点及び構成は、特許請求の範囲の従属項、以下の説明及び図面から明らかになるであろう。以下、図面につき、本発明の好適な実施例を説明する。
【実施例１】
【００１６】
図１〜図６には、手持ち打ち込み装置（鋲打ち機）１０の発射口領域を示す。この打ち込み装置１０は、例えば燃焼力駆動式とし、打ち込みピストンとして構成した駆動体１３（図３および図５参照）を有してハウジング１１内に配置する打ち込み機構を設ける。駆動体１３は、案内１２に移動可能に案内し、打ち込み装置の長手方向軸線Ａを画定する。図３および図５は、打ち込み動作の準備が完了した、駆動体１３の初期位置を示す。
【００１７】
打ち込み装置１０には、案内１２と同軸状にピンガイド１５を配置する。このピンガイド１５には、打ち込み装置１０を加工材に当接するためハウジング１１の外部に露出する当接部分１６を設ける。ピンガイド１５は、固定素子５０（図３に示す）を収容ならびに案内する。打ち込み動作の際、当接部分１６の方向に移動する駆動体１３の駆動端部１４によって、ピンガイド１５内の固定素子５０を加工材（図示せず）に打ち込む。加工材における固定素子５０の打ち込み深度または、打ち込み動作後の加工材表面からの固定素子５０のヘッドの突出度は、固定素子５０を打ち込む加工材の材料ならびに、固定素子５０の長さおよびシャフトの太さに特に依存する。
【００１８】
打ち込み装置１０を種々の打ち込み深度に調節するために、この打ち込み装置１０に打ち込み深度調節装置２０を設ける。この打ち込み深度調節装置２０には、回転不能に支持軸２３に連結した手動操作式の操作素子２４を設ける（特に図３、図５並びに図６参照）。支持軸２３を、ハウジング１１内で、第１軸受２６および第２軸受２７に、回転可能または回動可能に支持する。支持軸２３には、更に制御ローラ２１を同心状にして回転不能に配置する。この制御ローラ２１には、第１制御手段として構成し、制御ローラ２１の周囲に溝として形成した制御連結リンク２２を設ける。ピンガイド１５には、第２制御手段として構成した摺動ブロック２５を設ける。この摺動ブロック２５を制御ローラ２１に設けた制御連結リンク２２に案内することにより、図１〜図３並びに図６に示した打ち込み深度調節装置２０の第１切り替え位置４６並びに第２切り替え位置４７に、制御連結リンク２２に案内される摺動ブロック２５によって、打ち込み装置１０の軸線方向に固定し、ピンガイド１５が打ち込み装置１０から外れるのを防ぐ。操作素子２４は、ハウジング１１に構成した窓１７の内部で、第１切り替え位置４６および第２切り替え位置４７をとる。このように、操作素子２４は、打ち込み装置１０の使用者によってアクセス可能であり、手動で第１切り替え位置４６（図１および図６参照）から第２切り替え位置４７（図２および図６参照）に、また逆向きにも移行可能である。操作素子２４を第１切り替え位置４６から第２切り替え位置４７（図１における矢印７０の方向）に移行すると、制御ローラ２１および制御連結リンク２２を有する支持軸２３が（図１に矢印７１で示す方向に）回動し、摺動ブロック２５を介してピンガイド１５も、第１位置３６（図１参照）から、図２に示した第２位置３７に移行し、ピンガイド１５は案内１２に対して相対的に軸線方向に（図１に矢印７２で示す方向に）変位する。この場合、駆動体１３の駆動端部１４と当接部分１６との間の間隔Ｄも変化し、これにより、打ち込み深度も変化する。
【００１９】
ピンガイド１５を取り外す際は、操作素子２４によって打ち込み深度調節装置２０を、図４および図５に示した釈放切り替え位置４５に手動で移行する。この際、操作素子２４は、窓１７内から矢印７０（図２参照）の方向に外方に逸脱し、その結果、窓１７に隣接するハウジング部分１８の下側の位置をとり、使用者は操作することができなくなる（図４および図６参照）。操作素子２４によって支持軸２３も制御ローラ２１と共に矢印７１の方向に回動することにより、制御連結リンク２２内における摺動ブロック２５は、当接部分１６側が制御連結リンク２２によって支持されない位置に移動する。その結果、ピンガイド１５は、矢印７２の方向に引っ張ることにより、打ち込み装置１０から取り外すことができる。このとき、制御連結リンク２２は当接部分１６の方向に開放する。操作素子２４を窓の範囲内に回し戻すためには、ピンガイド１５を矢印７２とは反対方向に向かって、打ち込み装置１０に挿入する必要がある。斜面２８による制御連結リンク２２の適切な形状（ジオメトリ）によって、矢印７１の反対方向に制御ローラが回動し、操作素子２４が矢印７０とは反対方向に回動し、再び窓１７に現れる（図２参照）。打ち込み深度調節装置２０を第２切り替え位置４７から第１切り替え位置４６への調節は、使用者が操作素子２４を再び手動操作することにより生ずる。
【００２０】
ピンガイド１５を適切な位置にシフトするために、２個の第１切り替え位置４６および第２切り替え位置４７の代わりに、多数個の切り替え位置を設けることもできる。
【００２１】
打ち込み深度調節装置２０を切り替え位置４５，４６，４７に保持するために、係止機構３０を設ける（図３、図５および図６参照）。この係止機構３０は、球体として構成し、ばね素子３２によって弾性的に押圧される係止部材３１を有する。このばね素子３２および係止部材３１を案内シリンダ３３内に案内および保持する。係止部材３１は、操作素子２４の円柱部分の外周面において、切り替え位置４５，４６，４７の数に適合する数だけ設けた係止収容部３４と連係動作する。これらの係止収容部を他の部位に設けることもできる。例えば、これらの係止収容部を制御ローラまたは支持軸に設けることもできる。
【図面の簡単な説明】
【００２２】
【図１】本発明の打ち込み装置において打ち込み深度調節装置が第１位置をとる状態の発射口領域における部分断面図である。
【図２】図１に示す打ち込み装置において打ち込み深度調節装置が第２位置をとる状態の発射口領域における部分断面図である。
【図３】図２に示す打ち込み装置の発射口領域における、III−III線上の断面図である。
【図４】図１に示す打ち込み装置において打ち込み深度調節装置がその他の位置をとる状態の発射口領域における部分断面図である。
【図５】図４に示す打ち込み装置の発射口領域における、Ｖ−Ｖ線上の断面図である。
【図６】図２に示す打ち込み装置のVI−VI線上の断面図である。
【符号の説明】
【００２３】
１０  打ち込み装置（鋲打ち機）
１１  ハウジング
１２  案内
１３  駆動体
１４  駆動端部
１５  ピンガイド
１６  当接部分
１７  窓
１８  ハウジング部分
１９  初期位置
２０  打ち込み深度調節装置
２１  制御ローラ
２２  制御連結リンク
２３  支持軸
２４  操作素子
２５  摺動ブロック
２６  第１軸受
２７  第２軸受
２８  斜面
３０  係止機構
３１  係止部材
３２  ばね素子
３３  案内シリンダ
３４  係止収容部
３５  釈放位置
３６  第１位置
３７  第２位置
４５  釈放切り替え位置
４６  第１切り替え位置
４７  第２切り替え位置
５０  固定素子
７０  矢印
Ａ  長手方向軸線
Ｄ  間隔
【図１】
0005192155.tif 000002
【図２】
0005192155.tif 000003
【図３】
0005192155.tif 000004
【図４】
0005192155.tif 000005
【図５】
0005192155.tif 000006
【図６】
0005192155.tif 000007